(57)【特許請求の範囲】
【請求項１】
床面上を走行可能とされたベース部と、
該ベース部から立設された支持基体と、
該支持基体の上端に設けられた天板と、
該天板から後方に突設された操作ハンドル部と、
前記ベース部と前記天板との間において、前記支持基体から前方に突出するように設けられた第一物品載置部と、
前記ベース部と前記天板との間において、前記支持基体から後方に突出するように設けられた第二物品載置部とを備え、
前記第一物品載置部は、前記支持基体を中心として左右両側方に延在するとともに、前記支持基体に対して左右両側方を通して前記支持基体よりも後方からアクセス可能とされ、
前記第二物品載置部は、前記支持基体を中心として左右両側方に延在するとともに、前記支持基体に対して左右両側方を通して前記支持基体よりも前方からアクセス可能とされ、
前記第一物品載置部及び前記第二物品載置部は、それぞれ前記支持基体に対する取り付け位置が上下方向に変更可能に構成されていることを特徴とするカート装置。
【請求項２】
請求項１に記載のカート装置において、
前記第一物品載置部は、略板状に形成され、
前記第二物品載置部は、物品を載置する支持部と、該支持部から上方に立ち上がる側壁部とを備えることを特徴とするカート装置。
【請求項３】
請求項１又は請求項２に記載のカート装置において、
前記第一物品載置部の上方に、前方、右方及び左方に開放された取出空間が形成されていることを特徴とするカート装置。
【請求項４】
請求項１乃至請求項３のいずれか一項に記載のカート装置において、
前記天板から上方に設けられるとともに、電子機器を着脱可能に支持する電子機器支持部と、
該電子機器支持部に支持された前記電子機器とを備えることを特徴とするカート装置。
【請求項５】
請求項４に記載のカート装置において、
前記電子機器は、姿勢を変更可能として前記電子機器支持部に支持されていることを特徴とするカート装置。
【請求項６】
請求項１乃至請求項５のいずれか一項に記載のカート装置において、
前記支持基体は、上下方向に伸縮可能であることを特徴とするカート装置。
【発明の詳細な説明】
【技術分野】
【０００１】
本発明は、カート装置に関するものである。
【背景技術】
【０００２】
従来、オフィス、病院、公共施設等における執務空間においては、執務空間内の様々な場所に移動しながら電子機器を用いて執務を行う場合がある。この場合、カート装置の天板上に電子機器を載置し、執務者がカート装置と共に移動し、随時必要に応じた場所にて執務が行われていた。
【０００３】
カート装置としては、下部に設けられた床面上を走行可能な移動手段又はローラ等と、下部から上方に立設された脚体と、該脚体に設けられた作業用のテーブル板又はデスク（天板と称する。以下同じ。）とを搭載した簡易な構成のものが多く知られている。（下記特許文献１、２参照）。
【先行技術文献】
【特許文献】
【０００４】
【特許文献１】特開平８−１５００２２号公報
【特許文献２】特開２００９−２５９２４３号公報
【発明の概要】
【発明が解決しようとする課題】
【０００５】
しかしながら、前述のカート装置では、執務に必要な物品を載置できるのは天板の上面のみであり、他の部分は物品を載置する機能を備えていないため、物品の収納能力が低いという問題点があった。さらに、天板を筆記等の作業台として使用する際には、カート装置全体で物品を全く載置することができないため、収容能力が著しく低くなるという問題点があった。さらには、多数の物品を載置した状態でカート装置を移動させながら執務を行うことができないため、使い勝手が悪く、作業効率が劣るという問題点もあった。
【０００６】
本発明は、上記事情に鑑みてなされたものであり、物品を載置可能とし、執務者の使い勝手、執務効率を良好とするカート装置を提供するものである。
【課題を解決するための手段】
【０００７】
上記目的を達成するために、本発明は以下の手段を採用している。
すなわち、本発明に係るカート装置は、床面上を走行可能とされたベース部と、該ベース部から立設された支持基体と、該支持基体の上端に設けられた天板と、該天板から後方に突設された操作ハンドル部と、前記ベース部と前記天板との間において、前記支持基体から前方に突出するように設けられた第一物品載置部と、前記ベース部と前記天板との間において、前記支持基体から後方に突出するように設けられた第二物品載置部とを備え、前記第一物品載置部は、前記支持基体を中心として左右両側方に延在するとともに、前記支持基体に対して左右両側方を通して前記支持基体よりも後方からアクセス可能とされ、前記第二物品載置部は、前記支持基体を中心として左右両側方に延在するとともに、前記支持基体に対して左右両側方を通して前記支持基体よりも前方からアクセス可能とされ、前記第一物品載置部及び前記第二物品載置部は、それぞれ前記支持基体に対する取り付け位置が上下方向に変更可能に構成されていることを特徴とする。
【０００８】
この構成では、物品を第一物品載置部及び第二物品載置部に載置できるため、物品を載置しながらベース部によりカート装置を移動させることができる。よって、執務者は、移動しながら載置した物品を使用して執務を行うことができるため、執務者の使い勝手を良好とすることができる。
また、第一物品載置部及び第二物品載置部の両方に物品を載置することができ多くの物品を載置できるため、物品を運搬しながら執務する際における執務者の執務効率を良好とすることができる。
【００１０】
また、執務者は、カート装置の後方から、支持基体の前方に配された第一物品載置部にアクセスが可能であるため、第一物品載置部に載置された物品を取り出したり、又は第一物品載置部に物品を載置することができる。同様に、執務者は、カート装置の前方から、支持基体の後方に配された第二物品載置部にアクセスが可能であるため、第二物品載置部に載置された物品を取り出したり、又は第二物品載置部に物品を載置することができる。したがって、執務者の使い勝手を良好とすることができる。
【００１１】
また、本発明に係るカート装置は、前記第一物品載置部は、略板状に形成され、前記第二物品載置部は、物品を載置する支持部と、該支持部から上方に立ち上がる側壁部とを備えることを特徴とする。
【００１２】
この構成では、操作ハンドル部が天板の後方に突設して設けられているため、執務者は、カート装置の後方に立ち、操作ハンドル部を操作してカート装置を移動させる形態をとることができる。したがって、第二物品載置部に使用頻度の高い物品を載置すれば、第二物品載置部は執務者の位置から近いために、執務者の使い勝手を良好とすることができる。
また、第二物品載置部は物品を載置する支持部と、該支持部から上方に立ち上がる側壁部とを備える構成である。よって、執務者は執務をする際に、腰を屈めずに立ったままの姿勢で手探りで物品を取り出したとしても、該物品が側壁部に囲まれていることにより落下することはないため、執務者の使い勝手を良好とすることができる。
一方、第一物品載置部は、略板状に形成されているために多くの物品を載置することができ、カート装置を移動させれば運搬性が向上するため、執務効率を良好とすることができる。
【００１３】
また、本発明に係るカート装置は、前記第一物品載置部の上方に、前方、右方及び左方に開放された取出空間が形成されていることを特徴とする。
【００１４】
この構成では、執務者は、第一物品載置部に対して、前方、右方及び左方の三方向に開放された取出空間からアクセスすることができるため、第一物品載置部に載置された物品を三方向から容易に取り出すことができ、執務者の使い勝手を良好とすることができる。
【００１５】
また、本発明に係るカート装置は、前記天板から上方に設けられるとともに、電子機器を着脱可能に支持する電子機器支持部と、該電子機器支持部に支持された前記電子機器とを備えることを特徴とする。
【００１６】
この構成では、第一物品載置部及び第二物品載置部に物品を載置しながらカート装置を移動させることができるとともに、天板の上方に設けられた電子機器を使用して執務をすることができる。ここで、電子機器は天板の上方に設けられた電子機器支持部に支持されているため、電子機器を使用するともに、天板も有効活用することができる。さらに、電子機器支持部は電子機器を着脱可能に支持しているため、電子機器を使用しない場合には電子機器支持部から電子機器を取り外すことができる。したがって、執務者は、一のカート装置により、物品を運搬し、電子機器を使用し、及び天板上で作業することができるため、執務者の使い勝手を良好とすることができる。
【００１７】
また、本発明に係るカート装置は、前記電子機器は、姿勢を変更可能として前記電子機器支持部に支持されていることを特徴とする。
【００１８】
この構成では、執務者は、電子機器支持部の姿勢を変更することにより、電子機器の画面の角度を変更することができる。よって、例えば、執務者がカート装置の後方に位置し、電子機器の画面を後方に向けてカート装置を移動させている態様、執務者がカート装置の側方に位置し、電子機器の画面を右方又は左方に向けて執務する態様、又は執務者がカート装置の前方に位置し、電子機器の画面を前方に向けて天板上で作業する態様と、様々な態様をとることができる。したがって、執務者の使い勝手を良好とすることができる。
【００１９】
また、本発明に係るカート装置は、前記支持基体は、上下方向に伸縮可能であることを特徴とする。
【００２０】
この構成では、執務者の身長、執務時の姿勢に合わせて、支持基体を上下方向に伸縮させればカート装置の天板の高さを変更することができるため、執務者の使い勝手を良好とすることができる。
【発明の効果】
【００２１】
本発明に係るカート装置によれば、物品を載置可能とし、執務者の使い勝手、執務効率を良好とすることができる。
【図面の簡単な説明】
【００２２】
【図１】本発明の第一実施形態に係るカート装置の側面図である。
【図２】本発明の第一実施形態に係るカート装置の平面図である。
【図３】（ａ）、（ｂ）本発明の第一実施形態に係るカート装置の電子機器の姿勢を説明する斜視図である。
【発明を実施するための形態】
【００２３】
以下、本発明の一実施形態について、図面を参照して説明する。
図１に示すように、本実施形態に係るカート装置１は、床面Ｆ上を走行可能とされたベース部１１と、ベース部１１から立設された支持基体２１と、支持基体２１の上端に設けられた天板３１と、天板３１に設けられた操作ハンドル部４１と、天板３１に設けられるとともに、電子機器Ｅを支持する電子機器支持部５１と、電子機器支持部５１に支持された電子機器Ｅと、支持基体２１の前方に配された第一物品載置部６１と、支持基体２１の後方に配された第二物品載置部７１とを備えている。
執務者は、電子機器支持部５１に支持された電子機器Ｅを使用可能であるとともに、操作ハンドル部４１を把持して操作力を与えることで床面Ｆ上でカート装置１を移動させることが可能となっている。
ここで、執務者が操作ハンドル部４１と対向するように位置して操作ハンドル部４１を押し引きする方向となる図１の紙面左右方向をカート装置１の前後方向とし、操作ハンドル部４１を押す側となる紙面右側をカート装置１の「前側」、操作ハンドル部４１を引く側となる紙面左側をカート装置１の「後側」と称する。また、平面視して前後方向と直交する方向となる図２の紙面左右方向をカート装置１の左右方向とし、紙面右側をカート装置１の「右側」、紙面左側をカート装置１の「左側」と称する。
以下、各構成の詳細を説明する。
【００２４】
図１及び２に示すように、ベース部１１は、床面Ｆ上を走行可能な複数のキャスター１１１と、該キャスター１１１が設けられた脚杆１１２とを備える。
脚杆１１２は、支持基体２１の下端より、前方及び後方であって、それぞれ左右方向に延びる４本の脚杆１１２により構成される。
キャスター１１１は、各脚杆１１２の先端部の下面に、床面Ｆに直交する垂直軸周りに旋回可能に設けられている。
【００２５】
支持基体２１は、ベース部１１の前後方向略中央より後方から上下方向に立設されるとともに筒状の外側支柱１２１と、該外側支柱１２１の内部に挿入されている内側支柱１２２とを備える。
外側支柱１２１は、ベース部１１の前後方向の略中央よりも後方よりであって、左右方向の略中央に設けられている。
また、外側支柱１２１の前部には、前方に張り出す第一支持部１２３が設けられ、外側支柱１２１の後部には、後方に張り出す第二支持部１２４が設けられている。ここで、第一支持部１２３、第二支持部１２４は、後述する第一物品載置部６１、第二物品載置部７１を支持している。
内側支柱１２２は、外側支柱１２１に対して上下方向に進退可能に設けられている。また、内側支柱１２２の内部には図示しないガススプリングが設けられており、天板３１の下面に設けられた操作レバー１３１を操作することによりガススプリングの上下方向の高さを伸縮させる。これにより、内側支柱１２２は外側支柱１２１に対して相対的に上下方向に移動するとともに、天板３１の高さを昇降させて調節可能としている。
【００２６】
天板３１は、上面が床面と平行な状態となるとともに略矩形状に形成され、支持基体２１に支持されている。そして、上面は薬品等の物品が載置可能であり、又はカルテ等の記載が可能な作業台として使用することができる。
【００２７】
操作ハンドル部４１は、天板３１の後部であって、左右両側から後方に突設された一対のハンドル取付部１４１と、該ハンドル取付部１４１を連結する把持部１４２とを備える。
【００２８】
電子機器支持部５１は、天板３１の後部であって、左右方向の略中央に設けられた天板延設部１５１と、該天板延設部１５１の後部から上方に立設された支持軸１５２と、該支持軸１５２の上部に設けられた第一ヒンジ部１５３と、支持軸１５２の下部に設けられた第二ヒンジ部１５４と、電子機器Ｅを取り付ける電子機器取付部１５５とを備える。
天板延設部１５１は、支持軸１５２の下端から下方に延びて、当該下端から天板３１の下面に沿って前方へ延設されている。また、天板延設部１５１は、図示しないネジ等により天板３１に固定されている。
支持軸１５２は、天板延設部１５１の後部より上方に立設されるとともに、上部には電子機器取付部１５５が設けられている。また、支持軸１５２は、平面視して、天板３１の後部よりも後方であって、操作ハンドル部４１の把持部１４２よりも前方に位置している。
図３（ａ）に示すように、第一ヒンジ部１５３は、支持軸１５２の上部に設けられるとともに、左右方向に沿う軸Ｐを中心に電子機器Ｅを公知の支持構造によって回動可能としている。よって、左右方向に沿う軸Ｐを中心に電子機器Ｅを回動すると、電子機器Ｅの表面Ｔを上方に向ける位置Ｇとすることが可能である。
図３（ａ）、（ｂ）に示すように、第二ヒンジ部１５４は、支持軸１５２の下部に設けられるとともに、左右方向に沿う軸Ｒ及び上下方向に沿う軸Ｑを中心に電子機器Ｅを公知の支持構造によって回動可能としている。よって、左右方向に沿う軸Ｒを中心に電子機器Ｅを回動すると、電子機器Ｅを天板３１の上面に沿わせる状態である位置Ｉとすることが可能である。また、上下方向に沿う軸Ｑを中心に電子機器Ｅを回動すると、電子機器Ｅの表面Ｔを前方に向ける位置Ｈとすることが可能である。
電子機器取付部１５５は、支持軸１５２の上部に設けられるとともに、電子機器Ｅの裏面Ｂを着脱可能に支持している。
【００２９】
電子機器Ｅは、例えばタブレット型のパソコンであり、執務者は電子機器Ｅの表面Ｔを手で触れたり、ペンで押圧することにより、操作可能である。また、執務者は、電子機器取付部１５５により電子機器Ｅを取り外した場合には、電子機器Ｅを手にとって操作することができる。
【００３０】
第一物品載置部６１は、ベース部１１と天板３１との間に設けられた第一支持部１２３に支持されるとともに、外側支柱１２１の前方に配されている。また、第一物品載置部６１は、公知の取り付け構造によって、外側支柱１２１に対する取り付け位置を上下方向に変更可能である。
また、第一物品載置部６１は、全体として略板状であり、平面視して略矩形状に形成された底部１６１と、該底部１６１の外縁から上方に立ち上がる縁部１６２とを備える。
底部１６１は、略矩形状であり、上面が床面に平行な状態に配され、該上面に物品を載置可能としている。
縁部１６２は、底部１６１の外縁からわずかに上方に立ち上がるように設けられ、底部１６１に載置した物品が振動等により落下するのを防止する役割を担っている。
また、図２に示すように、第一物品載置部６１は、外側支柱１２１を中心として左右両側方に延在するとともに、平面視して、第一物品載置部６１の左右方向の端部は、天板３１の左右方向より内方に位置している。また、第一物品載置部６１の前部は、天板３１の前部より後方に位置している。
ここで、第一物品載置部６１の上方には、前方、右方及び左方に開放された取出空間８１が形成されている。よって、執務者は、前方、右方及び左方のいずれかからアクセスして取出空間８１より第一物品載置部６１に載置した物品を取り出すことが可能である。
また、本実施形態では、第一物品載置部６１は上下方向に間隔をおいて２段設けられるとともに、取出空間８１は上下方向に間隔をおいて２つ形成されている。
【００３１】
第二物品載置部７１は、ベース部１１と天板３１との間に設けられた第二支持部１２４に支持されるとともに、外側支柱１２１の後方に配されている。また、第二物品載置部７１は、公知の取り付け構造によって、外側支柱１２１に対する取り付け位置を上下方向に変更可能である。
また、第二物品載置部７１は、平面視して略矩形状に形成された支持部１７１と、該支持部１７１の外縁から上方に立ち上がる側壁部１７２とを備える。
支持部１７１は、略矩形状で、上面が床面に平行な状態に配され、該上面に物品を載置可能としている。
側壁部１７２は、支持部１７１の外縁から上方に立ち上がるように設けられるとともに、該第二物品載置部７１に高さのある物品を載置した場合に落下防止する役割を担っている。よって、図１に示すように、第二物品載置部７１は、例えば、ボトル等が載置可能としている。
また、図２に示すように、第二物品載置部７１は、外側支柱１２１を中心として左右両側方に延在するとともに、平面視して、第二物品載置部７１の左右方向の端部は、天板３１の左右方向より内方に位置している。また、第二物品載置部７１の後部は、天板３１の後部より前方に位置している。
また、本実施形態では、第二物品載置部７１は上下方向に間隔をおいて２段設けられている。
【００３２】
このように構成されたカート装置１では、第一物品載置部６１及び第二物品載置部７１に物品を載置することができる。また、床面Ｆ上を走行可能な複数のキャスター１１１がベース部１１に設けられているため、カート装置１に設けられた操作ハンドル部４１を押し引きすることにより、カート装置１を移動させることができる。したがって、執務者は、カート装置１を移動させながら、第一物品載置部６１及び第二物品載置部７１に載置した物品を使用して執務を行うことができるため、執務者の使い勝手を良好とすることができる。
【００３３】
また、第一物品載置部６１、第二物品載置部７１の両方に物品を載置することができるため、多くの物品を載置しカート装置１を移動させることができため、物品の運搬面で執務者の執務効率を向上させることができる。
【００３４】
また、第一物品載置部６１及び第二物品載置部７１は外側支柱１２１を中心として左右両側方に延在している。よって、執務者は、カート装置１の後方から、第一物品載置部６１にアクセスが可能であるため、第一物品載置部６１に載置された物品を取り出したり、又は第一物品載置部６１に物品を載置することができる。同様に、執務者は、カート装置１の前方から、第二物品載置部７１にアクセスが可能であるため、第二物品載置部７１に載置された物品を取り出し、又は第二物品載置部７１に物品を載置することができる。したがって、執務者の使い勝手を良好とすることができる。
【００３５】
また、第一物品載置部６１は板状に形成されているため、例えば、血圧計やパルスオキシメーターなどの装置を設置することができる。
また、図２に示すように、血圧計や聴診器２００等の長尺部材を載置する場合には、第一物品載置部６１と第二物品載置部７１との両方に渡って載置することができるので好適である。例えば、聴診器２００を例に挙げると、聴診器２００は患者の体に接触させて心音を取得する心音取得部２０１と、該心音取得部２０１に接続されたチューブ２０２と、該チューブ２０２の他端に接続されるとともに執務者が心音を聞き取るイヤホン２０３とを備える。ここで、第一物品載置部６１に心音取得部２０１を載置し、外側支柱１２１の周辺にチューブ２０２を沿わせて、第二物品載置部７１にイヤホン２０３を載置することができる。なお、心音取得部２０１とイヤホン２０３の載置位置を逆としても構わない。また、血圧計（不図示）にあっては、血圧計は、患者の腕を締付ける布状の締め付け部と、該締め付け部に接続されたチューブと、該チューブの他端に接続されるとともに測定結果を表示する表示部とを備える。ここで、第一物品載置部６１に表示部を載置し、外側支柱１２１の周辺にチューブを沿わせて、第二物品載置部７１に締め付け部を載置することができる。したがって、平面視して収容効率良く収容することができるため、執務者の使い勝手を良好とすることができる。
一方、第二物品載置部７１に消毒液等の液体の入った容器を載置しても、側壁部１７２により該容器が転倒するのを防止することができる。
【００３６】
また、操作ハンドル部４１が天板３１の後方に突設して設けられているため、執務者は、カート装置１の後方に立ち、操作ハンドル部４１を操作してカート装置１を移動させる形態をとることができる。よって、第二物品載置部７１に使用頻度の高い物品を載置すれば、執務者の位置から近いために、執務者の使い勝手を良好とすることができる。
また、第二物品載置部７１は物品を載置する支持部１７１と、該支持部１７１から上方に立ち上がる側壁部１７２とを備える構成である。よって、執務者は執務する際に、腰を屈めずに立ったままの姿勢で手探りで物品に取り出したとしても、該物品が側壁部１７２に囲まれていることにより落下することはないため、執務者の使い勝手を良好とすることができる。
【００３７】
また、外側支柱１２１がベース部１１の前後方向の略中央より後方よりに設けられるとともに、第一物品載置部６１は略板状に形成されている。よって、第一物品載置部６１には多くの物品を載置することができるため、カート装置１を移動させれば運搬性が向上し、執務効率を良好とすることができる。
特に、第二物品載置部７１に使用頻度の高い物品を載置し、第一物品載置部６１に使用頻度の低い物品を載置するとして使い分けをする際には、第一物品載置部６１は収容能力が高いために効果的である。
また、第一物品載置部６１は、上面が水平状態に形成された底部１６１と、該底部１６１の外縁から上方に立ち上がることにより底部１６１に載置した物品の振動等による落下を防止する役割を担う縁部１６２とを備える。よって、執務者は、第一物品載置部６１に物品を容易に載置することができるとともに、載置された物品が縁部１６２により落下してしまうことを防止することができる。
【００３８】
また、平面視して、第一物品載置部６１の左右方向の端部は、天板３１の左右方向より内方に位置し、第一物品載置部６１の前部は、天板３１の前部より後方に位置している。また、第二物品載置部７１の左右方向の端部は、天板３１の左右方向より内方に位置し、第二物品載置部７１の後部は、天板３１の後部より前方に位置している。よって、第一物品載置部６１及び第二物品載置部７１を、平面視して天板３１の内部に配することができるため、カート装置１全体をコンパクトな形状とすることができる。
【００３９】
また、第一物品載置部６１の上方には前方、右方及び左方の三方向に開放された取出空間８１が形成されているため、執務者は、第一物品載置部６１に載置された物品を三方向から容易に取り出すことができるとともに、第一物品載置部６１に物品を三方向から容易に載置することができる。したがって、例えば、カート装置１をベッド等の側方に設置した状態で、第一物品載置部６１に載置した物品を用いて容易に執務をすることができるため、執務者の使い勝手を良好とすることができる。
【００４０】
また、第一物品載置部６１及び第二物品載置部７１に物品を載置しながらカート装置１を移動させることができるとともに、天板３１の上方に設けられた電子機器Ｅを使用して執務をすることができる。ここで、電子機器Ｅは天板３１の上方に設けられた電子機器支持部５１に支持されているため、電子機器Ｅを使用するとともに、天板３１も有効活用することができる。さらに、電子機器支持部５１は電子機器Ｅを着脱可能に支持しているため、電子機器Ｅを使用しない場合には電子機器支持部５１から電子機器Ｅを取り外すことができる。したがって、執務者は、一のカート装置１により、物品を運搬し、電子機器Ｅを使用するとともに、天板３１上で作業することもできるため、執務者の使い勝手を良好とすることができる。
【００４１】
また、電子機器支持部５１の支持軸１５２は、平面視して、天板３１の後部より後方であって、操作ハンドル部４１の把持部１４２より前方に位置しているため、電子機器支持部５１はカート装置１の外縁から突出しないようにすることが可能である。よって、カート装置１を移動させた場合でも、電子機器支持部５１と人及び物が衝突することがないため、電子機器支持部５１により人が怪我をしたり、物が破損したりする虞がなく、使用時の安全性を高めることができる。
【００４２】
また、天板３１の上面に載置した薬品等の液体がこぼれた場合でも、電子機器Ｅは電子機器支持部５１により天板３１の上方に設けられているため、電子機器Ｅに液体がかかる虞がなく、使用時の安全性を高めることができる。
【００４３】
また、執務者は、電子機器支持部５１の第一ヒンジ部１５３を回動することにより電子機器Ｅの画面（表面Ｔ。以下同じ。）の角度を変更することができる。よって、例えば、執務者がカート装置１の後方に位置し、電子機器Ｅの表面Ｔを後方に向けてカート装置１を移動させている態様、執務者がカート装置１の側方に位置し、電子機器Ｅの表面Ｔを右方又は左方に向けて執務する態様、執務者がカート装置１の前方に位置し、電子機器Ｅの表面Ｔを前方に向けて天板３１上で作業する態様と、様々な態様をとることができる。したがって、執務者の使い勝手を良好とすることができる。
【００４４】
また、電子機器取付部１５５は電子機器Ｅを着脱可能に支持しているため、電子機器Ｅを使用しない場合は、電子機器Ｅを電子機器取付部１５５から取り外すことができる。よって、電子機器Ｅを使用しない場合は、電子機器Ｅを電子機器取付部１５５から取り外すとともに、第二ヒンジ部１５４により支持軸１５２を天板３１の上面に沿わせる位置まで回動して、体裁よく電子機器支持部５１を天板３１の上方に納めることができる。また、電子機器Ｅはタブレット型のパソコンであるため、電子機器支持部５１から電子機器Ｅを取り外した状態でも、執務者は手にとって電子機器Ｅを操作でき利便性が高い。
【００４５】
また、操作レバー１３１を操作することにより、内側支柱１２２を外側支柱１２１に対して相対的に上下方向に移動するとともに、天板３１の高さを変更することができる。よって、執務者の身長、執務時の姿勢に合わせて、天板３１の高さを変更でき、執務者の使い勝手を良好とすることができる。
【００４６】
また、図１に二点鎖線で示すように、天板３１の高さを変更することにより、カート装置１の天板３１の下方に他テーブル什器２１１の天板２１２を重合させることが可能となり、カート装置１及びテーブル什器２１１の設置面積を最小限とすることができる。さらに、図１に実線で示すように、カート装置１の天板３１とテーブル什器２１１の天板２１２を同一の高さとすることにより、カート装置１の天板３１及びテーブル什器２１１の天板２１２が同一平面上に連続して配されるため、作業スペースが増大し、執務者の使い勝手を良好とすることができる。
【００４７】
なお、本実施形態では、電子機器支持部５１及び電子機器Ｅが設けられるとともに、支持基体２１が上下方向に伸縮可能な構成としているが、上記に限られず、電子機器Ｅが設けられていない構成等適宜設計変更可能である。
また、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００４８】
１…カート装置
１１…ベース部
２１…支持基体
３１…天板
４１…操作ハンドル部
５１…電子機器支持部
６１…第一物品載置部
７１…第二物品載置部
８１…取出空間
１７１…支持部
１７２…側壁部
Ｅ…電子機器
Ｆ…床面
【図１】
0005975609.tif 000002
【図２】
0005975609.tif 000003
【図３】
0005975609.tif 000004